(57)【要約】      （修正有）【課題】スポーツ防護具であって、衝突防止ガスケットが脱落する現象を解決するポケット型の一体成形型防護具を提供する。【解決手段】織布シート１を含むポケット型の一体成形型防護具であって、織布シート１の表面の一端の中央に波状パターン２を設け、波状パターン２の片側に第１の二重層ポケット４を設け、第１の二重層ポケット４の片側に第２の二重層ポケット６が固定接続されて、第２の二重層ポケット６の片側に第３の二重層ポケット８が設けられており、第２の二重層ポケット６の内側に衝突防止ガスケットが取り付けられており、第１の二重層ポケット４の内側に第１のスプリングバーが装着されており、第３の二重層ポケット８の内側に第２のスプリングバーが取り付けられており、第１の二重層ポケット４と第３の二重層ポケット８のサンドイッチの内側に皆見えないホットヒューズが取り付けられている。【選択図】図１
0003228902.tif 000002
【実用新案登録請求の範囲】
【請求項１】
織布シート（1）を含み、前記織布シート（1）の表面の一端中央に波状パターン（2）が設けられ、前記波状パターン（2）に 第１の二重層ポケット（4）が設けられ、前記第１の二重層ポケット（4）に第２の二重層ポケット（6）が設けられ、前記第２の二重層ポケット（6）に第３の二重層ポケット（8）が設けられており、前記第２の二重層ポケット（6）の内部に衝突防止ガスケット（10）が取り付けられ、前記第１の二重層ポケット（4）の内部に第１のスプリングバー（11）が取り付けられ、第３の二重層ポケット（8）の内側に第２のスプリングバー（12）が取り付けられており、前記第１の二重層ポケット（4）と第３の二重層ポケット（8）の両方のサンドイッチ内側に皆見えないホットヒューズ（15）が設けられていることを特徴とするポケット型の一体成型防護具。
【請求項２】
前記波状パターン（２）の両端に通気孔（３）が設けられていることを特徴とする請求項１に記載のポケット型一体成型保護具。
【請求項３】
前記第１の二重層ポケット（４）の上部に 第１の物体入口（５）が開かれ、前記第２の二重層ポケット（6）の上部に 第２の物体入口（７）が開かれており、前記第３の二重層ポケット（８）の上部に第３の物体入口（９）が開かれていることを特徴とする請求項１に記載のポケット型一体成型保護具。。 
【請求項４】
前記第１の物体入口（５）と前記第３の物体入口（９）の両方の内部に皆固定バー（１３）が設けられていることを特徴とする請求項１に記載のポケット型一体成型保護具。
【請求項５】
前記織布シート（１）は、単層織りであり、前記第１の二重層ポケット（４）と前記第２の二重層ポケット（6）および第３の二重層ポケット（8）は皆２層織りでできていることを特徴とする請求項１に記載のポケット型一体型防護具。
【請求項６】
前記第２のスプリングバー（１２）の片側にスプライシングインターフェース（１４）が設けられていることを特徴とする請求項１に記載のポケット型の一体成型保護具。
【考案の詳細な説明】
【技術分野】
【０００１】
本実用新案は、スポーツ用品の技術分野、特にポケット型一体成型保護具に関するものである。
【背景技術】
【０００２】
スポーツ用品という用語の出現とスポーツという用語は密接に関連しており、単にスポーツと呼ばれる、体育として文字通り翻訳された身体活動に基づく教育を示しており、中国には長いスポーツの歴史があるが、「スポーツ」は外国語である。
【０００３】
それは、２０世紀初頭に清朝末期に初めて見られた。１９０２年頃、日本に留学する学生の中には、「スポーツ」という言葉で日本から来た人もいる。西洋文化の中国への流入が続く中、学校のスポーツの内容も単一の体操から多様化へと進化し、バスケットボール、陸上競技、サッカーが教室に登場した。 
【０００４】
中国のスポーツ事業の活発な発展に伴い、スポーツ用品という用語は、消費者の生活のあらゆる側面にますます深く浸透している。そして、高貴な性格の育成は、代替することができない重要な役割を果たしている。
【０００５】
スポーツ防護具は、スポーツでの怪我からあなたを守る一種のウェアラブル機器である。一般に、頭の保護、肩の保護、手の保護、肘の保護、手首の保護、腰の保護、脚の保護、膝の保護、膝蓋骨の保護、足首の保護、複合スポーツ保護具、およびその他のスポーツ保護具に分けることができる。ただし、既存の防護具には主に次の欠点がある。従来の保護具の衝突防止パッドはすべて織物シートに接着または縫い付けられているため、衝突防止パッドが脱落し、装着感が低下する。
【考案の概要】
【考案が解決しようとする課題】
【０００６】
本実用新案の目的は、上記の背景技術における従来の保護具の衝突防止パッドがすべて繊維シートに接着または縫い付けられているため、衝突防止パッドが脱落し、快適な着用感が得られないという問題を解決する、ポケット型の一体成型保護具を提供することである。上記の目的を達成するために、本実用新案は以下の技術的解決策を提供する。
【課題を解決するための手段】
【０００７】
織布シートを含むポケット型一体成型保護具であり、前記織布シートの表面の一端に波状パターンが提供され、前記波状パターンの片側に第１の二重層ポケットが設けられており、 前記第１の二重層ポケットの片側に第２の二重層ポケットが固定接続されており、前記第２の二重層ポケットの片側に第３の二重層ポケットが設けており、前記第２の二重層ポケットの内側に衝突防止ガスケットが取り付けられており、前記第１の二重層ポケットの片側に第１のスプリングバーが装着されており、前記第３の二重層ポケットの内側に第２のスプリングバーが取り付けられており、前記第１の二重層ポケットと第３の二重層ポケットのサンドイッチの内側に皆見えないホットヒューズが取りられている。
【０００８】
好ましくは、前記波状パターンの両端に皆通気孔を設け、通気孔を設けることにより、防護具の通気性を効果的に向上させ、皮膚からの汗を素早く蒸発させ、皮膚と防護具の密着を防止して、防護具を着用したときの快適さを向上させることができる。
【０００９】
好ましくは、前記第１の二重層ポケットの上部に第１の物体入口が開かれ、前記第２の二重層ポケットの上部に第２の物体入口は開かれ、前記第３の二重層ポケットの上部に第３の物体入口が開かれる。第１の物体入口を設定することにより、第１のスプリングバーを第１の二重層ポケット内に配置でき、第２の物体入口を設定することにより、第２の二重層ポケット内部に衝突防止ガスケットを配置でき、第３の物体入口を設けることにより、第２のスプリングバーを第３の二重層ポケットの内側に配置すると便利である。
【００１０】
好ましくは、前記第１の物体入口および第３の物体入口の内側に固定バーが設けられ、第１の二重層ポケットおよび第３の二重層ポケットの上部は、固定バーをセットすることによって閉じられる。第１スプリングバーおよび第２スプリングバーのずれが防止される一方、第１スプリングバーおよび第２スプリングバーが第１二重層ポケットおよび第３二重層ポケットの内側から脱落することが防止される。
【００１１】
好ましくは、前記織布シートは単層織り法で作られ、前記第１の二重層ポケット、第２の二重層ポケット、および第３の二重層ポケットはすべて二重層織り法で作られ、成熟した繊維技術を使用した製造および加工に便利である。織布シート、第１の二重層ポケット、第２の二重層ポケット、および第３の二重層ポケットは、同時に、織布シートと第１の二重層ポケット、第２の二重層ポケット、および第３の二重層ポケットの間の接続を容易にする。
【００１２】
好ましくは、前記第２のスプリングバーの片側にスプライシングインターフェースが設けられ、織物シートの先端部と末端部がスプライシングインターフェースを介して都合よく接続される。
【００１３】
本実用新案は、一体型のポケット成型防護具を提供し、次のような有益な効果がある。
１）本実用新案は、織物布シートの表面に第２の二重層ポケットが縫い付けられており、第２の二重層ポケットの上部に第２の物体入口があり、衝突防止ガスケットを第２の二重層の内部に入れるのに便利である。
【００１４】
同時に、衝突防止ガスケットを外すと便利である。衝突防止ガスケットが脱落する現象を効果的に解決し、第１の二重層ポケットに第１のスプリングバーを、第３の二重層ポケットに第２のスプリングバーをそれぞれ取り付けることにより、第１のスプリングバーと第２のスプリングバーの弾性は、膝関節の曲げと矯正に効果的に一致し、波形は肘の曲げ部に人間工学的に第１の二重層ポケットを通して設定される。
【００１５】
目に見えないホットヒューズが第１の二重層ポケットと第３の二重層ポケットのサンドイッチの内側に配置されているため、第１の二重層ポケットと第３の二重層ポケットは非弾性であり、着用時に伸びにくく、快適さが大幅に改善されている。
【図面の簡単な説明】
【００１６】
【図１】本実用新案の全体構造の概略図である。
【図２】本実用新案の第２の二重層ポケットの断面構造の模式図である。
【図３】本実用新案の第１の二重層ポケット、第２の二重層ポケットおよび第３の二重層ポケットの構造である。
【図４】本実用新案の側面構造の概略図である。
【図５】本実用新案の衝突防止ガスケットの構造の概略図である。
【図６】本実用新案の第１のスプリングバーの概略構成図である。
【考案を実施するための形態】
【００１７】
本実用新案の実施形態における技術的解決策は、本実用新案の実施形態における図面と併せて明確かつ完全に説明される。
【００１８】
図１〜６に示すように、本実用新案は技術的解決策を提供する。織布シート１を含むポケット型の一体成型保護具であり、織布シート１の表面の一端の中央に波状パターン２が設けられ、波状パターン２片側に第１の二重層ポケット４が設けられており、第２の二重層ポケット６が第１の二重層ポケット４の片側に固定接続され、第３の二重層ポケット８が第２の二重層ポケット６の片側に設けられている。
【００１９】
衝突防止ガスケット１０は、第２の二重層ポケット６の内部に設置され、第１のスプリングバー１１は、第１の二重層ポケット４の内部に設置され、第２のスプリングバー１２は、第３の二重層ポケット８の内部に設置される。第１の二重層ポケット４および第３の二重層ポケット８のサンドイッチの内側に見えない温度ヒューズ１５を備えている。
【００２０】
第２の二重層ポケット６が織布シート１の表面に縫い付けられ、第２の物体入口７が第２の二重層ポケット６の上部に設けられ、これは衝突防止ガスケット１０を第２の二重層ポケット６内側に入れるのを容易にするだけではなく、同時に衝突防止ガスケット10を取り出すと便利である。これにより、衝突防止パッドが脱落する現象を効果的に解決し、第1スプリングバー１１をそれぞれ第１二重層ポケット４と第３の二重層ポケット８の内側に設置する。
【００２１】
第２スプリングバー１２は、第１スプリングバー１１と第２スプリングバー１２の弾性を同時に介して膝関節の曲げと矯正に効果的に適合でき、波状パターン２はエルボジョイントの屈曲部にあり、人間工学的である。第１の二重層ポケット４と第３の二重層ポケット８のサンドイッチの内側に目に見えないホットヒューズ１５が備わっているため、保護具の着用時の快適さが大幅に向上し、第１の二重層ポケット４と第３の二重層ポケット８の箇所に伸縮性がないため、着用時に伸びにくく、サポート効果を高める。
【００２２】
前記波状パターン２の両端には皆通気孔３が設けられている。通気孔３を設けることで防護具の通気性を効果的に高めるため、肌からの汗を素早く蒸発させ、肌と防具の密着を防ぎ、 防護具を着用したときの快適さをアップできる。
【００２３】
前記第１の二重層ポケット４は上部に第１の物体入口５を有し、前記第２の二重層ポケット６の上部に第２の物体入口７を有し、前記第３の二重層ポケット８の上部に第３の物体入口９を有する。第１の物体入口５によって第１の二重層ポケット４内に第１のスプリングバー１１を簡単に配置できるようにし、第２の物体入口７は衝突防止ガスケット１０を容易に提供され、それは、第２の二重層ポケット６の内側に配置され、第２のスプリングバー１２は、第３の物体入口９を設けることによって、第３の二重層ポケット８の内側に都合よく配置される。
【００２４】
前記第１の物体入口５と第３の物体入口９の両方にも固定バー１３が内部に設けられ、第１の二重層ポケット４と第３の二重層ポケット８の上部は、固定バー１３を設けることによって閉じられる一方、第１のスプリングバー１１と第２のスプリングバー１２の位置ずれを防止するとともに、第１のスプリングバー１１と第２のスプリングバー１２が第１の二重層ポケット４と第３の二重層ポケット８から脱落するのを防止できる。
【００２５】
前記織布シート１は単層織り法で作られ、前記第１の二重層ポケット４、第２の二重層ポケット６、第３の二重層ポケット８はすべて２層織り法で作られ、成熟した繊維技術を用いた生産に便利である。織布シート１、第１の二重層ポケット４、第２の二重層ポケット６、第３の二重層ポケット８の加工と同時に、織布シート１と第１の二重層ポケット４、第２の二重層ポケット６、第３二重層ポケット８の間を容易に接続できる。
【００２６】
前記第２のスプリングバー１２の片側にはスプライシングインターフェース１４が設けられており、それを介して織布シート１の先端部と末端部を都合よく接続することができる。
【００２７】
述べなければならなくては、ポケット型の一体成型防護具は、作業中の織布シート１の表面の一端の中央に波状パターン２が設けられ、波状パターン２の片側に第１の二重層ポケット４が設けられており、第１の二重層ポケット４の側面に第２の二重層ポケット６が固定接続され、第２の二重層ポケット６の片側に第３の二重層ポケット８が設けられ、第２の二重層ポケット６の内側に衝突防止ガスケット１０が取り付けられ、第１の二重層ポケット４の内側に第１のスピリングバー１１が設置され、第３の二重層ポケット８の内側に第２のスプリングバー１２が設置されており、第２の二重層ポケット６が織物シート１の表面に縫い付けられ、第２の二重層ポケット６が上部に設けられていることにより、第２の物体入口７は、衝突防止ガスケット１０を第２の二重層ポケット６の内側に入れるのを容易にするだけでなく、衝突防止ガスケット１０の取り外しも容易にし、衝突防止パッドの脱落現象を効果的に解決する。
【００２８】
第１のスプリングバー１１は、第１の二重層ポケット４の内部に設置され、第２のスプリングバー１２は、第３の二重層ポケット８の内部に設置される。第１のスピリングバー１１および第２のスプリングバー１２の弾性は、膝関節に効果的に適合できる。同時に、波状パターン2は人間工学に基づいた肘関節の屈曲部に設定されている。
【００２９】
第１の二重層ポケット４と第３の二重層ポケット８のサンドイッチの内側に皆目に見えないホットヒューズ１５が設けられていることにより、第１の二重層ポケット４と第３の二重層ポケット８の箇所は伸縮性がなく、履いても伸びにくい。波状パターン２には両端に通気孔３が設けられている。通気孔３を設けることで防護具の通気性を効果的に高め、肌からの汗を素早く吸収する。皮膚の蒸発により、皮膚が防護具に貼り付くのを防ぎ、防護具を着用するときの快適性を向上させる。
【００３０】
第１の二重層ポケット４の上部に第１の物体入口５が開かれ、第２の二重層ポケット６の上部に第２の物体入口７が開かれ、第３の二重層ポケット８の上部にに第３の物体入口９が開かれており、第１の物体入口５を提供することにより、第１のスプリングバー１１を第１の二重層ポケット４の内側に都合よく配置し、第２の物体入口7を設けることにより、衝突防止ガスケット１０を第２の二重層ポケット６の内側に都合よく配置し、第３の物体入口９を設けることにより、第２のスプリングバー１２を第３の二重層ポケット８の内側に配置するのが便利である。
【００３１】
第１の物体入口５と第３の物体入口９の両方にも、固定バー１３を設定して第１の二重層ポケット４と第３の二重層ポケット８の上部は閉鎖されており、第１のスプリングバー１１および第２のスピリングバー１２が第１の二重層ポケット４および第３の二重層ポケット８から脱落するのを防止し、織物シート１は単層織りで作られ、第１の二重層ポケット４、第２の二重層ポケット６、第３の二重層ポケット８はすべて２層織りでできており、成熟した繊維技術を使用した織物シート１と第１の二重層ポケットの製造と処理に便利である。
【００３２】
第２の二重層ポケット６と第３の二重層ポケット８は、同時に織物シート１と第１の二重層ポケット４、第２の二重層ポケット６と第３の二重層ポケット８、第２スプリングバー１２の片側にはスプライシングインターフェース１４が設けられており、これを介して織物シート１の先端部と末端部とが容易に接続される。
【００３３】
本実用新案は、肩プロテクター、ハンドプロテクター、肘プロテクター、手首プロテクター、ウエストプロテクター、脚プロテクター、膝プロテクター、膝蓋骨プロテクター、足首プロテクター等の保護具用品に適している。
【００３４】
本実用新案の実施形態を示して説明してきたが、当業者は、本実用新案の原理および精神から逸脱することなく、これらの実施形態に様々な変更および修正を加えることができることを理解することができる。本実用新案の範囲は、添付の特許請求の範囲およびそれらの均等物によって定義される。
【符号の説明】
【００３５】
１  織物シート
２  波状パターン
３  通気孔
４  第１の二重層ポケット
５  第１の物体入口
６  第２の二重層ポケット
７  第２の物体入口
８  第３の二重層ポケット
９  第３の物体入口
１０  衝突防止ガスケット
１１  第１スプリングバー
１２  第２スプリングバー
１３  固定バー
１４  スプライシングインターフェイス
１５  見えないホットヒューズ
【図１】
0003228902.tif 000003
【図２】
0003228902.tif 000004
【図３】
0003228902.tif 000005
【図４】
0003228902.tif 000006
【図５】
0003228902.tif 000007
【図６】
0003228902.tif 000008
【手続補正書】
【提出日】令和2年8月11日(2020.8.11)
【手続補正１】
【補正対象書類名】実用新案登録請求の範囲
【補正対象項目名】全文
【補正方法】変更
【補正の内容】
【実用新案登録請求の範囲】
【請求項１】
織布シート（1）を含み、前記織布シート（1）の表面の一端中央に波状パターン（2）が設けられ、前記波状パターン（2）に 第１の二重層ポケット（4）が設けられ、前記第１の二重層ポケット（4）に第２の二重層ポケット（6）が設けられ、前記第２の二重層ポケット（6）に第３の二重層ポケット（8）が設けられており、前記第２の二重層ポケット（6）の内部に衝突防止ガスケット（10）が取り付けられ、前記第１の二重層ポケット（4）の内部に第１のスプリングバー（11）が取り付けられ、第３の二重層ポケット（8）の内側に第２のスプリングバー（12）が取り付けられており、前記第１の二重層ポケット（4）と第３の二重層ポケット（8）の両方のサンドイッチ内側に皆見えないホットヒューズ（15）が設けられていることを特徴とするポケット型の一体成型防護具。
【請求項２】
前記波状パターン（２）の両端に通気孔（３）が設けられていることを特徴とする請求項１に記載のポケット型の一体成型防護具。
【請求項３】
前記第１の二重層ポケット（４）の上部に 第１の物体入口（５）が開かれ、前記第２の二重層ポケット（6）の上部に 第２の物体入口（７）が開かれており、前記第３の二重層ポケット（８）の上部に第３の物体入口（９）が開かれていることを特徴とする請求項１に記載のポケット型の一体成型防護具。
【請求項４】
前記第１の物体入口（５）と前記第３の物体入口（９）の両方の内部に皆固定バー（１３）が設けられていることを特徴とする請求項１に記載のポケット型の一体成型防護具。
【請求項５】
前記織布シート（１）は、単層織りであり、前記第１の二重層ポケット（４）と前記第２の二重層ポケット（6）および第３の二重層ポケット（8）は皆２層織りでできていることを特徴とする請求項１に記載のポケット型の一体成型防護具。
【請求項６】
前記第２のスプリングバー（１２）の片側にスプライシングインターフェース（１４）が設けられていることを特徴とする請求項１に記載のポケット型の一体成型防護具。